(57)【要約】【課題】簡単な手段により後付けで容易に自動販売機に通信手段を取り付け、外部通信媒体とアンテナ部との距離を小さくして通信の精度を上げ、顧客が通信手段のアンテナ部を容易に見出すことができるようにする。【解決手段】通信ユニット９を、上下の商品選択ボタン１０の列間で、上部固定部材１１と下部固定部材１２とにより保持し、上部固定部材１１の上部係止部１１１を上側の商品選択ボタン１０のボタン取付部材１０２と窓板部材７の間に挟み込んで係止し、下部固定部材１２の下部係止部１２２を下側の商品選択ボタン１０のボタン取付部材１０２と窓板部材７の間に挟み込んで係止し、窓板部材７にアンテナ部９Ａが内側から略当接するように取り付ける。【選択図】図２
2008257477.tif 000002
【特許請求の範囲】
【請求項１】
自動販売機に外部との間で送受信処理を行うアンテナ部を備えた通信手段を取り付ける自動販売機用通信手段取付装置であって、
前記通信手段を、自動販売機の商品陳列部と該商品陳列部の前面を覆う略透明な窓板部材とを有し自動販売機本体前面に配置される扉体の前記窓板部材に、該窓板部材の背面側から前記アンテナ部が略当接するよう保持して、該扉体に固定可能な固定手段を有することを特徴とする自動販売機用通信手段取付装置。
【請求項２】
前記固定手段は、前記通信手段を保持する保持部と、該保持部により保持された前記通信手段の前記アンテナ部が前記窓板部材に該窓板部材の背面側から略当接するように、前記扉体に係止される係止部とを有することを特徴とする請求項１記載の自動販売機用通信手段取付装置。
【請求項３】
前記固定手段は、前記通信手段の一側を保持しながら、前記通信手段の前記アンテナ部が前記窓板部材に該窓板部材の背面側から略当接するように前記通信手段の一側を前記扉体に固定する第１の固定部材と、前記通信手段の反対側を保持しながら、前記通信手段の前記アンテナ部が前記窓板部材に該窓板部材の背面側から略当接するように前記通信手段の反対側を前記扉体に固定する第２の固定部材とからなり、
前記第１の固定部材が、前記通信手段の一側を保持する第１保持部と、該第１保持部により前記通信手段の一側を保持した状態で前記扉体に係止される第１係止部を有するともに、前記第２の固定部材が、前記通信手段の反対側を保持する第２保持部と、該第２保持部により前記通信手段の反対側を保持した状態で前記扉体に係止される第２係止部を有し、
前記第１の固定手段の前記第１保持部と前記第２の固定手段の前記第２保持部が前記通信手段の一側および反対側をそれぞれ保持することで前記通信手段を保持し、前記第１の固定手段の前記第１係止部と前記第２の固定手段の前記第２係止部が前記扉体にそれぞれ係止されることで、前記通信手段を前記アンテナ部が前記窓板部材に該窓板部材の背面側から略当接するように前記扉体に固定可能とすることを特徴とする請求項２記載の自動販売機用通信手段取付装置。
【請求項４】
自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられた自動販売機であって、
外部との間で送受信処理を行うアンテナ部を備えた通信手段が、複数列設けられた前記商品選択手段の隣り合う列間に、前記アンテナ部が前記窓板部材に該窓板部材の背面側から略当接するように取り付けられていることを特徴とする自動販売機。
【請求項５】
自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられた自動販売機であって、
外部との間で送受信処理を行うアンテナ部を備えた通信手段が、複数列設けられた前記商品選択手段の隣り合う列間に、請求項１記載の自動販売機用通信手段取付装置により、前記アンテナ部が前記窓板部材に該窓板部材の背面側から略当接するように取り付けられていることを特徴とする自動販売機。
【請求項６】
自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられ、前記商品選択手段は、商品を選択するために操作する商品選択手段本体と、該商品選択手段本体を取り付けて前記窓板部材に固定するための商品選択手段取付部とからなり、前記商品選択手段本体が前記窓板部材の前方側から該窓板部材を貫通して取り付けられ、前記商品選択手段取付部が前記窓板部材の後方側から該窓板部材を前記商品選択手段本体との間に挟み込むように取り付けられる自動販売機であって、
外部との間で送受信処理を行うアンテナ部を備えた通信手段が、複数列設けられた前記商品選択手段の隣り合う列間に、請求項２記載の自動販売機用通信手段取付装置により、前記固定手段の保持部により保持され、前記係止部が前記商品選択手段の商品選択手段取付部により前記窓板部材の背面側に係止されて、前記アンテナ部が前記窓板部材に該窓板部材の背面側から略当接するように取り付けられていることを特徴とする自動販売機。
【請求項７】
自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられ、前記商品選択手段は、商品を選択するために操作する商品選択手段本体と、該商品選択手段本体を取り付けて前記窓板部材に固定するための商品選択手段取付部とからなり、前記商品選択手段本体が前記窓板部材の前方側から該窓板部材を貫通して取り付けられ、前記商品選択手段取付部が前記窓板部材の後方側から該窓板部材を前記商品選択手段本体との間に挟み込むように取り付けられる自動販売機であって、
外部との間で送受信処理を行うアンテナ部を備えた通信手段が、複数列設けられた前記商品選択手段の隣り合う列間に、請求項３記載の自動販売機用通信手段取付装置により、前記通信手段の一側が第１の固定部材の第１保持部により保持され、反対側が第２の固定部材の第２保持部により保持され、前記第１の固定部材の第１係止部が複数列設けられている前記商品選択手段の隣り合う列の内の一方の列の前記商品選択手段取付部と前記窓板部材の間に挟み込まれて係止されるとともに、前記第２の固定部材の第２係止部が前記商品選択手段の隣り合う列の内の他方の列の前記商品選択手段取付部と前記窓板部材の間に挟み込まれて係止されて、前記アンテナ部が前記窓板部材に該窓板部材の背面側から略当接するように取り付けられていることを特徴とする自動販売機。
【発明の詳細な説明】
【技術分野】
【０００１】
本発明は、自動販売機と、電子マネーや個人認証用の非接触ＩＣカード等外部との間で通信を行うための通信手段を後付けで取り付けるための自動販売機用通信手段取付装置および自動販売機に関する。
【背景技術】
【０００２】
電子マネーや個人認証用の非接触ＩＣカードとの間の送受信処理を行うための通信手段が予め取り付けられていない自動販売機に、そうした電子マネーや個人認証用の非接触ＩＣカード等外部との間で通信を行うための通信手段を後付けで取り付けるには、金額表示部等の自動販売機の操作部のユニットを、通信手段を組み込んだものにユニットごと入れ替えるようにすることが従来から行われている。また、自動販売機の商品収納部に収納されている商品の在庫情報等のデータを外部の販売管理センターへ送出するための無線通信装置のアンテナを、商品陳列部に展示される商品見本の内部に設けたり商品見本に取り付けことも従来から考えられている（例えば、特許文献１参照。）。
【特許文献１】特開２０００−２４２８４６号公報
【発明の開示】
【発明が解決しようとする課題】
【０００３】
しかしながら、自動販売機に通信手段を後付で取り付けるのに、金額表示部等の操作部のユニットをユニットごと入れ替えるのでは、自動販売機自体に大きく手を加えることになり、多大な手間と費用を要するという問題がある。また、商品見本の内部に設けたり商品見本にアンテナ部を取り付ける場合は、自動販売機自体に大きな改造は必要でないが、電子マネーや個人認証用の非接触ＩＣカードなどの通信媒体との間で送受信を行う場合には、それら通信媒体と通信手段のアンテナ部との距離が開きすぎになって、通信の精度が落ちてしまうという問題があるほか、アンテナ部を組み込んだ商品見本と他の商品見本との見分けがつきにくく、顧客が通信媒体をアンテナ部に近づけるときに戸惑うという問題がある。
【０００４】
本発明はこうした問題を解決するためのもので、簡単な手段により後付けで容易に自動販売機に通信手段を取り付けることができ、また、外部通信媒体とアンテナ部との距離を小さくして通信の精度を上げることができるとともに、顧客が通信手段のアンテナ部を容易に見出すことができるようにする自動販売機用通信手段取付装置、およびその自動販売機用通信手段取付装置により通信手段を取り付けた利便性の高い自動販売機を提供することを目的とする。
【課題を解決するための手段】
【０００５】
請求項１に係る発明の自動販売機用通信手段取付装置は、自動販売機に外部との間で送受信処理を行うアンテナ部を備えた通信手段を取り付ける自動販売機用通信手段取付装置であって、前記通信手段を、自動販売機の商品陳列部と該商品陳列部の前面を覆う略透明な窓板部材とを有し自動販売機本体前面に配置される扉体の前記窓板部材に、該窓板部材の背面側から前記アンテナ部が略当接するよう保持して、該扉体に固定可能な固定手段を有することを特徴とする。
【０００６】
この自動販売機用通信手段取付装置によれば、商品陳列部前面の窓板部材にアンテナ部が窓板部材の背面側から略当接するように通信手段を取り付けることができ、構成簡単な装置により後付けで容易に自動販売機に通信手段を取り付けることができ、外部通信媒体とアンテナ部との距離を小さくして通信の精度を上げるようにすることができ、顧客が通信手段のアンテナ部を容易に見出せるようにすることができ、自動販売機の利便性を高めることができる。
【０００７】
また、請求項２に係る発明の自動販売機用通信手段取付装置は、請求項１に係る発明の自動販売機用通信手段取付装置において、前記固定手段が、前記通信手段を保持する保持部と、該保持部により保持された前記通信手段の前記アンテナ部が前記窓板部材に該窓板部材の背面側から略当接するように、前記扉体に係止される係止部とを有することを特徴とする
【０００８】
この自動販売機用通信手段取付装置によれば、固定手段の保持部により通信手段を保持した状態で係止部を商品陳列部前面の窓板部材の背面側に係止することにより、商品陳列部前面の窓板部材にアンテナ部が窓板部材の背面側から略当接するように通信手段を取り付けることができ、簡単な手段により後付けで容易に自動販売機に通信手段を取り付けることができ、外部通信媒体とアンテナ部との距離を小さくして通信の精度を上げるようにすることができ、顧客が通信手段のアンテナ部を容易に見出せるようにすることができ、自動販売機の利便性を高めることができる。
【０００９】
また、請求項３に係る発明の自動販売機用通信手段取付装置は、請求項２に係る発明の自動販売機用通信手段取付装置において、前記固定手段が、前記通信手段の一側を保持しながら、前記通信手段の前記アンテナ部が前記窓板部材に該窓板部材の背面側から略当接するように前記通信手段の一側を前記扉体に固定する第１の固定部材と、前記通信手段の反対側を保持しながら、前記通信手段の前記アンテナ部が前記窓板部材に該窓板部材の背面側から略当接するように前記通信手段の反対側を前記扉体に固定する第２の固定部材とからなり、前記第１の固定部材が、前記通信手段の一側を保持する第１保持部と、該第１保持部により前記通信手段の一側を保持した状態で前記扉体に係止される第１係止部を有するともに、前記第２の固定部材が、前記通信手段の反対側を保持する第２保持部と、該第２保持部により前記通信手段の反対側を保持した状態で前記扉体に係止される第２係止部を有し、前記第１の固定手段の前記第１保持部と前記第２の固定手段の前記第２保持部が前記通信手段の一側および反対側をそれぞれ保持することで前記通信手段を保持し、前記第１の固定手段の前記第１係止部と前記第２の固定手段の前記第２係止部が前記扉体にそれぞれ係止されることで、前記通信手段を前記アンテナ部が前記窓板部材に該窓板部材の背面側から略当接するように前記扉体に固定可能とすることを特徴とする。
【００１０】
この自動販売機用通信手段取付装置によれば、第１の固定手段の第１保持部により通信手段の一側を保持し、第２の固定手段の第２保持部により通信手段の反対側を保持した状態で、第１の固定手段の第１係止部と第２の固定手段の第１係止部をそれぞれ商品陳列部前面の窓板部材の背面側に係止することにより、簡単に商品陳列部前面の窓板部材にアンテナ部が窓板部材の背面側から略当接するように通信手段を取り付けることができ、簡単な手段により後付けで容易に自動販売機に通信手段を取り付けることができ、外部通信媒体とアンテナ部との距離を小さくして通信の精度を上げるようにすることができ、顧客が通信手段のアンテナ部を容易に見出せるようにすることができ、自動販売機の利便性を高めることができる。
【００１１】
そして、請求項４に係る発明の自動販売機は、自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられた自動販売機であって、外部との間で送受信処理を行うアンテナ部を備えた通信手段が、複数列設けられた前記商品選択手段の隣り合う列間に、前記アンテナ部が前記窓板部材に該窓板部材の背面側から略当接するように取り付けられていることを特徴とする。
【００１２】
この自動販売機は、通信手段が商品陳列部前面の窓板部材にアンテナ部が窓板部材の背面側から略当接するように取り付けられていて、外部通信媒体とアンテナ部との距離が小さくて通信の精度が高く、また、顧客が通信手段のアンテナ部を容易に見出すことができ、利便性の高いものとなる。そして、その通信手段は、簡単な手段により後付けで容易に取り付けられるようにすることができる。
【００１３】
そして、請求項５に係る発明の自動販売機は、自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられた自動販売機であって、外部との間で送受信処理を行うアンテナ部を備えた通信手段が、複数列設けられた前記商品選択手段の隣り合う列間に、請求項１に係る発明の自動販売機用通信手段取付装置により、前記アンテナ部が前記窓板部材に該窓板部材の背面側から略当接するように取り付けられていることを特徴とする。
【００１４】
この自動販売機は、簡単な手段により後付けで容易に取り付けることができた通信手段を備え、その通信手段は商品陳列部前面の窓板部材にアンテナ部が窓板部材の背面側から略当接するように取り付けられていて、外部通信媒体とアンテナ部との距離が小さくて通信の精度が高く、また、顧客が通信手段のアンテナ部を容易に見出すことができ、利便性の高いものとなる。
【００１５】
また、請求項６に係る発明の自動販売機は、自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられ、前記商品選択手段は、商品を選択するために操作する商品選択手段本体と、該商品選択手段本体を取り付けて前記窓板部材に固定するための商品選択手段取付部とからなり、前記商品選択手段本体が前記窓板部材の前方側から該窓板部材を貫通して取り付けられ、前記商品選択手段取付部が前記窓板部材の後方側から該窓板部材を前記商品選択手段本体との間に挟み込むように取り付けられる自動販売機であって、外部との間で送受信処理を行うアンテナ部を備えた通信手段が、複数列設けられた前記商品選択手段の隣り合う列間に、請求項２に係る発明の自動販売機用通信手段取付装置により、前記固定手段の保持部により保持され、前記係止部が前記商品選択手段の商品選択手段取付部により前記窓板部材の背面側に係止されて、前記アンテナ部が前記窓板部材に該窓板部材の背面側から略当接するように取り付けられていることを特徴とする。
【００１６】
この自動販売機は、自動販売機用通信手段取付装置の固定手段の保持部により通信手段を保持した状態で係止部を商品陳列部前面の窓板部材の背面側に係止する簡単な手段により、後付けで容易に取り付けることができた通信手段を備え、その通信手段は商品陳列部前面の窓板部材にアンテナ部が窓板部材の背面側から略当接するように取り付けられていて、外部通信媒体とアンテナ部との距離が小さくて通信の精度が高く、また、顧客が通信手段のアンテナ部を容易に見出すことができ、利便性の高いものとなる。
【００１７】
また、請求項７に係る発明の自動販売機は、自動販売機の本体前面に扉体が配置され、該扉体に販売する商品または商品見本を陳列した商品陳列部が設けられて、該商品陳列部の前面の略全域が略透明な窓板部材で覆われ、前記商品陳列部に、販売される商品を選択する為の商品選択手段が複数列設けられ、前記商品選択手段は、商品を選択するために操作する商品選択手段本体と、該商品選択手段本体を取り付けて前記窓板部材に固定するための商品選択手段取付部とからなり、前記商品選択手段本体が前記窓板部材の前方側から該窓板部材を貫通して取り付けられ、前記商品選択手段取付部が前記窓板部材の後方側から該窓板部材を前記商品選択手段本体との間に挟み込むように取り付けられる自動販売機であって、外部との間で送受信処理を行うアンテナ部を備えた通信手段が、複数列設けられた前記商品選択手段の隣り合う列間に、請求項３に係る発明の自動販売機用通信手段取付装置により、前記通信手段の一側が第１の固定部材の第１保持部により保持され、反対側が第２の固定部材の第２保持部により保持され、前記第１の固定部材の第１係止部が複数列設けられている前記商品選択手段の隣り合う列の内の一方の列の前記商品選択手段取付部と前記窓板部材の間に挟み込まれて係止されるとともに、前記第２の固定部材の第２係止部が前記商品選択手段の隣り合う列の内の他方の列の前記商品選択手段取付部と前記窓板部材の間に挟み込まれて係止されて、前記アンテナ部が前記窓板部材に該窓板部材の背面側から略当接するように取り付けられていることを特徴とする。
【００１８】
この自動販売機は、自動販売機用通信手段取付装置の第１の固定手段の第１保持部により通信手段の一側を保持し、第２の固定手段の第２保持部により通信手段の反対側を保持した状態で、第１の固定手段の第１係止部と第２の固定手段の第１係止部をそれぞれ商品陳列部前面の窓板部材の背面側に係止する簡単な手段により、後付けで容易に取り付けることができた通信手段を備え、その通信手段は商品陳列部前面の窓板部材にアンテナ部が窓板部材の背面側から略当接するように取り付けられていて、外部通信媒体とアンテナ部との距離が小さくて通信の精度が高く、また、顧客が通信手段のアンテナ部を容易に見出すことができ、利便性の高いものとなる。
【発明の効果】
【００１９】
このように、本発明によれば、簡単な手段により後付けで容易に自動販売機に通信手段を取り付けることができ、また、外部通信媒体とアンテナ部との距離を小さくして通信の精度を上げることができるとともに、顧客が通信手段のアンテナ部を容易に見出すことができるようにする自動販売機用通信手段取付装置を提供することができ、また、この自動販売機用通信手段取付装置により通信手段を取り付けた利便性の高い自動販売機を提供することができる。
【発明を実施するための最良の形態】
【００２０】
以下、本発明の実施形態を図面に基づいて説明する。
図１〜図３は本発明の実施形態の一例を示している。図１は実施形態に係る自動販売機の正面図、図２は自動販売機の商品陳列部の通信ユニット取付部分近傍の縦断面、図３は自動販売機の商品陳列部の通信ユニット取付部分近傍の正面図である。なお、図１および図３においては、符号７を付した部材（窓板部材）等の背後にある部材の輪郭を破線で示すべきところ、符号７を付した部材（窓板部材）が透明であるため前方から見えるものは、便宜上実線で示している。
【００２１】
この実施形態の自動販売機は、本体１（自動販売機本体）が前方に開放されて、その本体１の前面に、正面視にて左側端部が回動自在に軸支されて開閉可能な扉体２が配置されている。そして、扉体２には、金銭が投入される現金投入部３、投入された金額や価格を表示する金額表示部４、投出された商品が払い出される投出口５、販売される商品の商品見本が陳列される商品陳列部６等が設けられている。
【００２２】
商品陳列部６は、商品見本を縦方向に複数列となる配置すなわち複数段（図示の例では４段）に陳列する商品見本設置台（図示せず）、商品見本や商品陳列部を照明するための照明手段である蛍光灯（図示せず）等が設けられている。そして、商品陳列部６の前面は、商品陳列部６の内部を自動販売機の外部と遮蔽するよう略全域にわたって透明な窓板部材７を覆われている。
【００２３】
窓板部材７には、商品見本設置台の各段に陳列される商品見本が正面から見える部分の下方で、段毎に水平に並ぶ位置に、商品選択手段である商品選択ボタン１０が取り付けられている。
【００２４】
商品選択ボタン１０は、顧客が押圧操作することで商品を選択するボタン本体１０１と、ボタン本体１０１を取り付けて窓板部材７に固定するためのボタン取付部材１０２とからなり、窓板部材７に、水平方向に並ぶ複数個を１列として縦方向に複数例となる配置すなわち複数段（図示の例では４段）に商品選択ボタン取付穴８が設けられて、これら商品選択ボタン取付穴８にそれぞれ商品選択ボタン１０が取り付けられている。
【００２５】
ボタン本体１０１は、商品選択時に押圧操作されるボタン部１０１Ａと自動販売機の制御部に繋がっている通信ケーブルを接続するコネクタ部１０１Ｂとからなり、ボタン部１０１Ａを前方に向け、コネクタ部１０１Ｂを後方に向けて、前方から窓板部材７を貫通するようコネクタ部１０１Ｂを商品選択ボタン取付穴８に挿し込み、窓板部材７に背面側からボタン取付部材１０２を取り付け、コネクタ部１０１Ｂの後端をボタン取付部材１０２にネジ等で固定し、ボタン取付部材１０２の両端を扉体２に固定することで、窓板部材７をボタン本体１０１とボタン取付部材１０２とで挟み込むようにして取り付けられる。
【００２６】
ボタン取付部材１０２は、板材を断面略コの字の樋状に折り曲げて形成したもので、コの字の底辺となる部分を前方に向けて窓板部材７に取り付けられ、コの字内側の溝部に商品選択ボタン１０と自動販売機の制御部とを接続するための通信ケーブルが通される。
【００２７】
また、ボタン取付部材１０２には、窓板部材７に取り付けた時に窓板部材７とボタン取付部材１０２との間に僅かに隙間ができるように、前面となるコの字の底辺となる部分に上下２列に突起部１０２Ａが形成されている。
【００２８】
そして、この自動販売機には、縦方向に複数列となる配置すなわち複数段（図示の例では４段）に取り付けられた商品選択ボタン１０の隣り合う２列（図示の例では下から１列目と２列目）の列間一端側（図示の例では正面から見て右端）に、上下２つの固定部材（後述の上部固定部材１１および下部固定部材１２）からなる通信手段取付装置の固定手段によって、窓板部材７に背面側から略当接するように、自動販売機と電子マネーや個人認証用のデータの送受信を行うための通信手段である通信ユニット９が取り付けられ、固定されている。
【００２９】
通信ユニット９は、略長方体形状で、前面部に、電子マネーの電子通貨情報や個人認証用の個人情報が記憶される記憶媒体であるＩＣカードと情報の送受信を行ってデータ読み取り又は書き込みを行うアンテナ部９Ａと、ＩＣカードとの送受信の状況情報（読み取り中、書き込み中、エラー等）を表示するための通信表示部であるＬＥＤ９Ｂを備えている。また、通信ユニット９は、片方の側面に、自動販売機の制御部と通信するための通信ケーブルが接続される。
【００３０】
通信手段取付装置の固定手段は、通信ユニット９の一側である上方側を保持しながら、アンテナ部９Ａが窓板部材７に窓板部材７の背面側から略当接するように通信ユニット９の一側を扉体２に固定する上部固定部材１１（第１の固定部材）と、反対側である下方側を保持しながら、アンテナ部９Ａが窓板部材７に窓板部材７の背面側から略当接するように通信ユニット９の反対側を扉体２に固定する下部固定部材１２（第２の固定部材）とからなるものである。
【００３１】
上部固定部材１１は、通信ユニット９の上方側を保持する上部保持部１１１（第１保持部）を有し、上部保持部１１１の前面側上部に、上部保持部１１１により通信ユニット９の上方側を保持した状態で窓板部材７の背面側に係止される上部係止部１１２（第１係止部）を有している。
【００３２】
また、下部固定部材１２は、通信ユニット９の下方側を保持する下部保持部１２１（第２保持部）を有し、下部保持部１２１の前面側下部に、下部保持部１２１により通信ユニット９の下方側を保持した状態で窓板部材７の背面側に係止される下部係止部１２２（第２係止部）を有し、下部保持部１２１の正面視右側下方に、下部固定部材１２の横移動規制のための下部固定部材規制部１２３を有している。
【００３３】
上部固定部材１１の上部保持部１１１は、通信ユニット９の上面を保持して通信ユニット９の上下方向の移動を規制する上面保持部１１１Ａと、通信ユニット９の後面を保持して通信ユニット９の後側への移動を規制するとともに通信ユニット９を前方へ押しつける上部後保持部１１１Ｂを有している。そして、上部後保持部１１１Ｂには、通信ユニット９取付用のねじ穴が設けられている。このねじ穴に対応して通信ユニット９の後面にもねじ穴が設けられており、ねじ１３を締めることによって上部固定部材１１に通信ユニット９を固定することができる。
【００３４】
下部固定部材１２の下部保持部１２１は、通信ユニット９の下面を保持して通信ユニット９の上下方向の移動を規制する下面保持部１２１Ａと、通信ユニット９の後面を保持して通信ユニット９の後側への移動を規制するとともに通信ユニット９を前方へ押しつける下部後保持部１２１Ｂを有するとともに、下部固定部材規制部１２３と同じ下部保持部１２１の正面視右側の上方に、通信ユニット９の正面視右側の側面を保持して通信ユニット９の正面視右方向への移動を規制する下部横保持部１２１Ｃを有している。そして、下部後保持部１２１Ｂには、通信ユニット９取付用のねじ穴が設けられている。このねじ穴に対応して通信ユニット９の後面にもねじ穴が設けられており、ねじ１４を締めることによって下部固定部材１１に通信ユニット９を固定することができる。
【００３５】
通信ユニット９は、商品選択ボタン１０の下から１列目（最下列）と２列目の列間に配置されて、上方側が上部固定部材１１により保持され、下方側が下部固定部材１２により保持され、上部固定部材１１の上部係止部１１１が下から２列目の商品選択ボタン１０のボタン取付部材１０２と窓板部材７の間に挟み込まれて係止され、下部固定部材１２の下部係止部１２２が最下列の商品選択ボタン１０のボタン取付部材１０２と窓板部材７の間に挟み込まれて係止されて、窓板部材７にアンテナ部９Ａが内側から略当接するように取り付けられている。
【００３６】
上部固定部材１１および下部固定部材１２の奥行き方向（自動販売機の前後方向）の寸法は、通信ユニット９の奥行き方向の寸法とほぼ同じで、上部固定部材１１および下部固定部材１２が窓板部材７とボタン取付部材１０２の間に係止され、上部固定部材１１および下部固定部材１２の各保持部の保持面が通信ユニット９を保持した状態で、通信ユニット９前面のアンテナ部９Ａは窓板部材７に略当接する。
【００３７】
通信ユニット９を取り付けるには、まず、上部固定部材１１の上部係止部１１２を通信ユニット９を取り付ける商品選択ボタン１０の列間の上方側の列（図示の例では下から２列目）の商品選択ボタン１０のボタン取付部材１０２と窓板部材７の間に填め込んで係止させて上部固定部材１１を固定し、同様に、下部固定部材１２の下部係止部１２２を通信ユニット９を取り付ける商品選択ボタン１０の列間の下方側の列（図示の例では最下列）の商品選択ボタン１０のボタン取付部材１０２と窓板部材７の間に填め込んで係止させるとともに、下部固定部材１２の固定部材規制部１２３を下方側の列（図示の例では最下列）の商品選択ボタン１０のボタン取付部材１０２の側端部（図示の例では正面視右側端部）に係止させて下部固定部材１２を固定する。この時、上部固定部材１１の上保持面１１１Ａと下部固定部材１２の下保持面１２１Ａとの上下方向の距離が、通信ユニット９の上下方向の寸法と同じかわずかに広くになるように高さを調整する。
【００３８】
そして、こうして上部固定部材１１および下部固定部材１２を上下の商品選択ボタン１０のボタン取付部材１０２と窓板部材７の間に填め込んでそれぞれ係止させ固定した後、通信ユニット９を、下部固定部材１２の横保持面１２１Ｃが設けられている側とは反対側からスライドさせて、上部固定部材１１と下部固定部材１２の間に、上部固定部材１１の上面保持部１１１Ａおよび上部後保持部１１１Ｂ、下部固定部材１２の下面保持部１２１Ａ、下部後保持部１２１Ｂおよび下部横保持部１２１Ｃとで保持されるように填め込む。
【００３９】
なお、本実施形態では、通信ユニット９は電子マネーや個人認証用の通信ユニットであるが、自動販売機の売り上げ情報などの自動販売機自体の情報をセンターや管理者が送受信するための通信用アンテナであってもよい。
【００４０】
また、上記実施形態では、通信ユニット９を上部固定部材１１と下部固定部材１２とで上下方向から保持し、上下で商品選択ボタン１０のボタン取付部材１０２と窓板部材７との間に上部固定部材１１の上部係止部１１２および下部固定部材１２の下部係止部１２２を挟み込ませて固定するように通信手段取付装置の固定手段を構成しているが、通信ユニット９を左右側面の方向から保持するように通信手段取付装置の固定手段を構成してもよく、上下の固定部材１１，１２を一体の固定部材として、通信ユニット９が収まるような箱形状とし、通信ユニット９を例えば後方から固定部材内部に納めて保持するように通信手段取付装置の固定手段を構成してもよい。
【００４１】
また、商品選択ボタン１０は、例えば上下方向に並ぶ複数個を１列として横方向に複数例となる配置とすることもでき、その場合、通信手段取付装置は、隣り合う左右の商品選択ボタン１０のボタン取付部材１０２を利用して固定することが可能である。
【００４２】
通信ユニット９の取付方法としては、これら実施形態に示した手段以外に、接着剤や接着シール等によって通信ユニットを窓板部材に直接取り付ける方法も可能である。
【００４３】
また、通信手段取付装置の固定手段は、上部固定部材１１の上部係止部１１２を、図４に示すように、商品選択ボタン１０のボタン取付部材１０２のコの字の下部後方内側に引っかけるような形状とし、上部係止部１１２に調整ねじ１５を取り付けて、調整ねじ１５を締めることにより、ボタン取付部材１０２のコの字の下部を上下から挟み込んで上部固定部材１１をボタン取付部材１０２に固定するようにしてもよい。図４において、図２に相当する部分には図２と同じ符号を付している。
【図面の簡単な説明】
【００４４】
【図１】本発明の実施形態に係る自動販売機の正面図である。
【図２】図１に示す自動販売機の商品陳列部の通信ユニット取付部分近傍の縦断面である。
【図３】図１に示す自動販売機の商品陳列部の通信ユニット取付部分近傍の正面図である。
【図４】本発明の他の実施形態に係る自動販売機の商品陳列部の通信ユニット取付部分近傍の縦断面である。
【符号の説明】
【００４５】
１  本体（自動販売機本体）
２  扉体
３  現金投入部
４  金額表示部
５  投出口
６  商品陳列部
７  窓板部材
８  商品選択ボタン取付穴
９  通信ユニット
９Ａ  アンテナ部
９Ｂ  通信表示部
１０  商品選択ボタン
１０１  ボタン本体
１０１Ａ  ボタン部
１０１Ｂ  コネクタ部
１０２  ボタン取付部材
１０２Ａ  突起部
１１  上部固定部材
１１１  上部保持部
１１１Ａ  上面保持部
１１１Ｂ  上部後保持部
１１２  上部係止部
１２  下部固定部材
１２１  下部保持部
１２１Ａ  下面保持部
１２１Ｂ  下部後保持部
１２１Ｃ  下部横保持部
１２２  下部係止部
１２３  下部固定部材規制部
１３、１４  ねじ
１５  調整ねじ
【図１】
2008257477.tif 000003
【図２】
2008257477.tif 000004
【図３】
2008257477.tif 000005
【図４】
2008257477.tif 000006